(57)【特許請求の範囲】
【請求項１】
送信所のアンテナの状態を監視する状態監視部と、
前記状態監視部により得られたデータを管理代行業者のコンピュータに伝送する伝送手段と、
前記管理代行業者のコンピュータから放送事業者のコンピュータに監視結果を送信する送信手段とを備え、
前記状態監視部により得られたデータを前記伝送手段により定期的に伝送することを特徴とする、アンテナ監視装置。
【請求項２】
前記アンテナの状態の経時変化を記録し、ユーザに提示することを特徴とする、請求項１に記載のアンテナ監視装置。
【請求項３】
通信回線を通じて外部より前記状態監視部のデータを呼出すことができることを特徴とする、請求項１または２に記載のアンテナ監視装置。
【請求項４】
前記状態監視部により異常なデータが検知されたとき、前記伝送手段により即時に伝送することを特徴とする、請求項１〜３のいずれかに記載のアンテナ監視装置。
【請求項５】
前記定期的な伝送は、ポーリングにより行なわれる、請求項１〜４のいずれかに記載のアンテナ監視装置。
【請求項６】
前記管理代行業者のコンピュータにおいて、異常が発生するまでの監視項目の検出値の変動を読取るようにし、異常発生の徴候を判断することができ、障害が発生する前に点検などの対策を行なうことができるように構成されている、請求項１〜５のいずれかに記載のアンテナ監視装置。
【請求項７】
アンテナを有する送信所に設置されたコンピュータと、
放送事業者に設置されたコンピュータと、
現地対応業者に設置されたコンピュータと、
管理代行業者に設置されたコンピュータとから構成されるアンテナ監視システムであって、
前記コンピュータは、相互に通信回線により接続され、
前記現地対応業者に設置されたコンピュータにより、前記管理代行業者が閲覧可能なデータと同じデータの閲覧が可能であり、
前記送信所には、各種検出器を含むアンテナシステムが備えられており、
前記送信所のコンピュータにおいては、前記アンテナシステムによる測定値が経時変化として順次保存され、
前記管理代行業者のコンピュータは、前記送信所のコンピュータに定期的にアクセスして、そのときの状態、および監視された状態の時間変動を受信し、
前記管理代行業者のコンピュータが前記送信所のシステムからの異常警報を受信したのであれば、前記送信所のコンピュータへアクセスし、異常が発生するまでの監視項目の検出値の変動を読取り、
前記送信所のコンピュータは、状態監視により異常なデータが検知されたときには、それを同時に伝送し、
前記管理代行業者のコンピュータは、前記送信所のコンピュータからの監視データを、前記放送事業者のコンピュータおよび前記現地対応業者のコンピュータに転送し、放送事業者に異常の内容を、現地対応業者に異常の内容と応急処置の指示を連絡し、
前記送信所のコンピュータ、前記放送事業者のコンピュータ、前記現地対応業者のコンピュータ、および前記管理代行業者のコンピュータの画面では、アンテナ系統図により各々の位置における検出値をリアルタイムで表示し、経時変動表示により、項目の数値の経時変動を表示する、アンテナ監視システム。
【発明の詳細な説明】
【０００１】
【発明の属する技術分野】
この発明はアンテナ監視装置に関し、特に遠隔地から送信所のアンテナの状態の監視を行なうことができるアンテナ監視装置に関する。
【０００２】
【従来の技術】
従来より、地上テレビ放送送信所の送信機や局舎のアラーム（非常警報）を専用回線を用いて放送局の管理室に伝送する技術が知られている。
【０００３】
また、特開平８−２５４５５６号公報においては、アンテナの各コンポーネントの検出情報を、一般電話回線でリモートＰＣ（パーソナルコンピュータ）に転送するアンテナ監視装置が開示されている。
【０００４】
【発明が解決しようとする課題】
しかしながら、従来の技術においてはアンテナの異常情報が施工業者には直接伝わらないという問題があった。すなわち、アンテナの異常事態を知らせる警報は放送事業者に伝わるのみであり、施工業者は放送事業者から警報が発生したとの連絡をもらうだけである。そのため、警報の原因や現在のアンテナの状態が施工業者にとってわからず、施工業者は現地に出向して初めて内情がわかり対処を行なうことになる。このため、アンテナの異常事態に対する対策が遅れたり、無駄足に終わってしまうことがある。
【０００５】
また、従来の技術においては異常事態が発生しないと施工業者に連絡が送られないため、アンテナの異常に対する対応が遅れるという問題があった。すなわち、アンテナの点検は所定の時間間隔をあけて定期的に行なわれるが、この間隔が比較的長いため、異常が発生するまでの過程を施工業者は知ることができず、その過程に基づいた判断ができないのである。これにより施工者は障害が発生して初めてアンテナの異常を知ることができるため、対応が遅れることがあるのである。
【０００６】
この発明は上述の問題点を解決するためになされたものであり、アンテナの状態を適切に監視することができるアンテナ監視装置を提供することを目的としている。
【０００７】
【課題を解決するための手段】
上記目的を達成するためこの発明のある局面に従うと、アンテナ監視装置は、送信所のアンテナの状態を監視する状態監視部と、状態監視部により得られたデータを管理代行業者のコンピュータに伝送する伝送手段と、管理代行業者のコンピュータから放送事業者のコンピュータに監視結果を送信する送信手段とを備える。アンテナ監視装置は、状態監視部により得られたデータを伝送手段により定期的に伝送することを特徴とする。
【０００８】
この発明によると、送信所のアンテナの状態が監視され、その監視により得られたデータが管理代行業者のコンピュータに伝送される。そして管理代行業者のコンピュータから放送事業者のコンピュータに監視結果が適宜送信される。アンテナの状態についての知識を十分に有する管理代行業者がアンテナの状態の監視結果を取得することができるため、発生したアンテナの異常に対して適切で迅速な対応がとれるという効果がある。監視より得られたデータを定期的に伝送すると、そのデータを管理代行業者が参照することで、障害発生の徴候を事前に検知することができ、適切な時期に点検などの対応をとることができる。
【００１１】
好ましくはアンテナ監視装置は、状態監視部により異常なデータが検知されたとき、伝送手段により即時に伝送することを特徴とする。
【００１２】
このように異常なデータが検知されたとき、伝送手段により即時に伝送することにすると、異状に対して迅速に対応することが可能になるため、異常が生じる期間を少なくすることができる。
【００１３】
好ましくはアンテナ監視装置は、通信回線を通じて外部より状態監視部のデータを呼出すことができることを特徴とする。
【００１４】
このように外部より状態監視部のデータを呼出すことができるようにすると、担当者がどこにいても外部から状態監視部のデータを参照することができるため、担当者は現在のアンテナの状態をどこからでも把握することができ、適切な対応をとることができるという効果がある。
【００１５】
好ましくはアンテナ監視装置は、アンテナの状態の経時変化を記録し、ユーザに提示することを特徴とする。
【００１６】
このようにアンテナの状態の経時変化を記録し、ユーザに提示することでユーザはより正確にアンテナの状態を知ることができる。
好ましくは、定期的な伝送は、ポーリングにより行なわれる。
好ましくはアンテナ監視装置は、管理代行業者のコンピュータにおいて、異常が発生するまでの監視項目の検出値の変動を読取るようにし、異常発生の徴候を判断することができ、障害が発生する前に点検などの対策を行なうことができるように構成される。
この発明の他の局面に従うと、アンテナ監視システムは、アンテナを有する送信所に設置されたコンピュータと、放送事業者に設置されたコンピュータと、現地対応業者に設置されたコンピュータと、管理代行業者に設置されたコンピュータとから構成されるアンテナ監視システムであって、コンピュータは、相互に通信回線により接続され、現地対応業者に設置されたコンピュータにより、管理代行業者が閲覧可能なデータと同じデータの閲覧が可能であり、送信所には、各種検出器を含むアンテナシステムが備えられており、送信所のコンピュータにおいては、アンテナシステムによる測定値が経時変化として順次保存され、管理代行業者のコンピュータは、送信所のコンピュータに定期的にアクセスして、そのときの状態、および監視された状態の時間変動を受信し、管理代行業者のコンピュータが送信所のシステムからの異常警報を受信したのであれば、送信所のコンピュータへアクセスし、異常が発生するまでの監視項目の検出値の変動を読取り、送信所のコンピュータは、状態監視により異常なデータが検知されたときには、それを同時に伝送し、管理代行業者のコンピュータは、送信所のコンピュータからの監視データを、放送事業者のコンピュータおよび現地対応業者のコンピュータに転送し、放送事業者に異常の内容を、現地対応業者に異常の内容と応急処置の指示を連絡し、送信所のコンピュータ、放送事業者のコンピュータ、現地対応業者のコンピュータ、および管理代行業者のコンピュータの画面では、アンテナ系統図により各々の位置における検出値をリアルタイムで表示し、経時変動表示により、項目の数値の経時変動を表示する。
【００１７】
【発明の実施の形態】
図１は、本発明の実施の形態の１つにおけるアンテナ監視システムの構成を示す図である。図を参照して、アンテナを有する送信所１００と放送事業者２００と現地対応業者３００と管理代行業者４００とが本システムを用いている。送信所１００と放送事業者２００と現地対応業者３００と管理代行業者４００とにはそれぞれコンピュータが設置されており、それらコンピュータは相互に通信回線により接続されている。
【００１８】
管理代行業者４００は、送信所１００のアンテナの状態監視業務を放送事業者２００に代行して実施する。ここでは管理代行業者４００は、放送事業者２００との間に契約を締結し、以下の業務を行なうものとする。
【００１９】
（１）  送信所１００のアンテナシステムの監視代行業務（監視データそのものは必要に応じて放送事業者２００にも適宜転送する）
（２）  監視データの定期的報告
（３）  警報発生時の緊急対応業務
また、管理代行業者４００は、現地対応業者３００との間の契約に基づき、以下の作業を行なう。
【００２０】
（１）  送信所１００より送られてきたデータの分析を行ない、緊急度などを判断することにより現地対応業者３００に送信所１００への出向を依頼する。なお、現地対応業者３００においても設置されたコンピュータにより、管理代行業者４００が閲覧可能なデータと同じデータの閲覧が可能である。
【００２１】
（２）  緊急対応のため、予め現地対応業者３００に対し現地での調査方法や調査箇所の指示を行なったり、修復のための製品などの提供を行なっておく。現地対応業者３００は、管理代行業者４００の指示により現地（送信所１００）に出向し、調査および応急処理、ならびに恒久処理（この場合管理代行業者４００の技術者および工事責任者が現地に出向する）を実施する。
【００２２】
なお、現地対応業者３００と管理代行業者４００とを同一の者が担当するようにしてもよい。
【００２３】
（３）  管理代行業者４００は、送信所１００での異常原因の調査方法などのメンテナンス方法を現地対応業者３００に教育し、定期的に監査を実施し、メンテナンスについてのある程度の水準を維持しておく。
【００２４】
図２は、送信所１００に備えられるアンテナシステムの構成を示す図である。図を参照してアンテナシステムには、反射電力検出器（１）と、放射電力検出器（２）と、直流抵抗検出器（３）と、ＶＳＷＲ検出器（４）と、温度検出器（５）と、湿度検出器（６）と、光伝送装置（７）と、演算インターフェイス装置（８）と、表示用パーソナルコンピュータ（９）とが設けられている。
【００２５】
反射電力検出器（１）はアンテナの鉄塔上のジャンクションボックス・Ｔ分岐の出力部に取付けられ、アンテナ面および分岐給電線からの放送波反射電力を検出する。放射電力検出器（２）は鉄塔上の各アンテナ面反射板上に取付けられ、アンテナ面からの放送波放射電力を検出する。
【００２６】
直流抵抗検出器（３）は、送信所内主給電線入力部に取付けられ、主給電線とアンテナシステムの直流抵抗を検出する。
【００２７】
ＶＳＷＲ検出器（４）は直流抵抗検出器（３）に取付けられ、主給電線とアンテナシステムのＶＳＷＲを検出する。温度検出器（５）は送信所内各給電部品の外部温度を検出する。湿度検出器（６）は送信所内の湿度を検出する。
【００２８】
光伝送装置（７）は反射電力や放射電力検出信号を光信号に変換し、演算インターフェイス装置まで伝送する。演算インターフェイス装置（８）は各検出信号に基づき測定データを演算および表示する。また、演算インターフェイス装置（８）はアンテナの異常事態である警報を出力したり、アナログ電圧の出力を行なったりする。
【００２９】
表示パーソナルコンピュータ（９）は、演算インターフェイス装置（８）からデジタル信号を受信し、測定データなどを画面に表示する。この画面表示において系統表示、経時変動表示などが行なわれる。また、表示パーソナルコンピュータ（９）においては測定値が順次保存される。表示パーソナルコンピュータ（９）はその内部に有するモデムを介して通信回線に接続することで遠隔地にデータを転送することができる。
【００３０】
本システムにおいてはアンテナの以下の状態が図２に示される各種検出器により監視される。
【００３１】
（１）  送出アンテナ系直流抵抗
（２）  送出アンテナ系ＶＳＷＲ（電圧定在波比）
（３）  屋内送出系機器温度
（４）  屋内湿度
（５）  送出アンテナ単体パネル反射電力
（６）  送出アンテナ単体パネル放射電力
（７）  その他送信所監視信号
以上の監視項目（１）〜（７）は電話回線などの通信回線により外部に送信される。
【００３２】
監視処理のフローとしては次の２通りのフローがある。
［定期監視による状態変動予測］
この処理においては、管理代行業者４００から定期的に送信所１００のコンピュータにアクセスして、そのときの状態を管理代行業者４００側のコンピュータで受信する。そして、アンテナの状態の変動を監視する。この監視においては送信所１００へのポーリングを行なってもよいし、送信所１００から定期的に通報を行なってもよい。また、送信所１００が複数存在する場合には、送信所別にＩＤを設けてどの送信所のアンテナからの信号かを判断することが好ましい。
【００３３】
そしてアンテナの状態に変化があったときに、管理代行業者４００において点検または対処の要否の判断が行なわれる。また、監視結果は適宜、放送事業者２００に報告される。点検もしくは対処の要否の判断により、管理代行業者４００は監視を続行するか、またはアンテナの点検および対処を放送事業者２００に提案し、その承認を受けた後に現地対応業者３００に連絡をとり施工を行なう。
【００３４】
［異常警報による即時対処］
送信所１００に設けられたシステムからの異常警報を通信回線により管理代行業者４００が受信したのであれば、送信所１００のコンピュータへ回線を用いてアクセスして、異常が発生するまでの監視項目の検出値の変動を読取る。そして、管理代行業者４００内で対処内容を判断する。
【００３５】
なお、状態監視により異常なデータが検知されたときには、それを即時に伝送することが望ましい。即時に伝送することで、迅速な対応が可能となり、異常な期間を最小限に押さえることができるからである。
【００３６】
また、管理代行業者４００は、１次情報として監視データを放送事業者２００と現地対応業者３００に通信回線を用いて転送する（これは電話でも、インターネット、Ｅ−ｍａｉｌなどによってでもよい）。そして、放送事業者２００に異常の内容を、現地対応業者３００に異常の内容と応急処置の指示を連絡することで、緊急対応を実施する。また、異常の原因の調査を行ない、恒久対策を検討し放送事業者２００に提案し、承認を受けた後にその対処の実施を行なう。
【００３７】
なお、上述の定期監視による状態変動予測においては、送信所名、アンテナの監視期間、警報の有無、警報に対する対応の内容、監視された状態の時間変動グラフ、変動値に対するコメントなどを送信所１００から管理代行業者４００へ送信することが望ましい。
【００３８】
また、異常警報による即時対処においては、送信所名、警報発生項目、監視項目の警報発生までの時間変動グラフ、原因の推定、応急対応の内容と現地対応業者３００への指示、対応までの時間を伝送、表示することが望ましい。
【００３９】
また、送信所１００、放送事業者２００、現地対応業者３００および管理代行業者４００のコンピュータに表示させる画面の内容として、たとえば図３に示されるような系統図表示と、図４に示される経時変動表示とが考えられる。
【００４０】
図３を参照して、系統図表示においてはアンテナ系統図を画面に表示し、各々の位置における検出値をリアルタイムで表示するものである。
【００４１】
また、図４を参照して経時変動表示では、指定された項目の数値の経時変動をグラフで表示するものである。このグラフは、図４に示されるように１つの画面に複数（たとえば４つ）のグラフを表示するようにしてもよいし、１つのグラフを画面に表示するようにしてもよい。
【００４２】
このように、アンテナ監視装置においてアンテナの状態の経時変化を記録し、ユーザ（放送事業者２００、現地対応業者３００および管理代行業者４００）に提示することでユーザはより正確にアンテナの状態を知ることができる。
【００４３】
以上のように、上述の実施の形態においては送信所からの警報をたとえば一般電話回線などの回線を使って管理代行業者４００および／または放送事業者２００に連絡することができるため、初動対応を素早く行なうことができる。また、定期的（たとえば１日おき）に測定データを管理代行業者４００に送信して監視を行なわせるようにすると、異常発生の徴候を判断することができ、障害が発生する前に放送事業者２００と管理代行業者４００との間で連絡をとりあって、点検などの対策を行なうことができる。
【００４４】
また、送信所のコンピュータにユーザが接続しどこからでもデータを取出すことができるようにすると、ユーザ（たとえば現地対応業者）は異常の発生している状況を詳しく知ることができ、より的確で素早い対応をとることができる。
【００４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の実施の形態の１つにおけるアンテナ監視システムの構成を示す図である。
【図２】送信所に備えられるシステムの構成を示す図である。
【図３】コンピュータに表示される系統図の具体例を示す図である。
【図４】コンピュータに表示される経時変動の具体例を示す図である。
【符号の説明】
１  反射電力検出器、２  放射電力検出器、３  直流抵抗検出器、４  ＶＳＷＲ検出器、５  温度検出器、６  湿度検出器、７  光伝送装置、８  演算インターフェイス装置、９  表示パソコン、１００  送信所、２００  放送事業者、３００  現地対応業者、４００  管理代行業者。
【図１】
0003567880.tif 000002
【図２】
0003567880.tif 000003
【図３】
0003567880.tif 000004
【図４】
0003567880.tif 000005